【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
フェムトセルの位置を特定するユーザ機器（ＵＥ）のための方法であって、
前記ＵＥによって、１つまたは複数のフェムトセルを取得することと、
前記ＵＥによって取得された前記１つまたは複数のフェムトセルの位置を特定するための情報をデータベースに記憶することであって、前記情報は、前記ＵＥに対して個別設定され、しきい値よりも高い信号強度を有するパイロットと位相オフセットとを備えるマクロシステムパラメータを備え、ここにおいて、前記データベースに記憶された前記情報は、各フェムトセルに関して、搬送周波数と、位置と、所与のしきい値よりも高い信号強度を有するパイロットオフセットのリストと、前記フェムトセルのシステム識別（ＩＤ）と、前記フェムトセルのネットワークＩＤと、前記フェムトセルのためのブロードキャストされた基地ＩＤと、をさらに含む、ことと、
前記ＵＥが前記１つまたは複数のフェムトセルのうちの少なくとも１つのフェムトセルの略近傍にある場合を判断するために前記データベース内を検索することと、
前記ＵＥが少なくとも１つのフェムトセルの略近傍にある場合、フェムトセルに対応する、前記データベースに記憶された前記情報を使用して前記フェムトセルにアクセスすることと、
を備える、
方法。
【請求項２】
一致を求めて前記データベースを検索することと、ここにおいて、システムＩＤデータベースエントリが前記フェムトセルの周りのマクロシステムの前記システムＩＤに一致し、ネットワークＩＤデータベースエントリが前記フェムトセルの周りの前記マクロシステムの前記ネットワークＩＤに一致し、基地ＩＤデータベースエントリがマクロセルの前記基地ＩＤに一致し、基地緯度が前記マクロセルの前記緯度に一致し、且つ、基地経度が前記マクロセルの前記経度に一致する場合に、一致がある、
一致がある場合、前記ＵＥをフェムトセル周波数ＦＦに同調させることと、
信号のサンプルセグメントを取り出すことと、
セル特有信号の検索を行うことと、
一致がない場合、前記ＵＥをマクロセル周波数ＦＭに同調させることと、
をさらに備える、請求項１に記載の方法。
【請求項３】
十分な信号強度を有する前記セル特有信号を求めて前記データベースを検索することと、
十分な信号強度を有する前記セル特有信号が発見された場合、前記ＵＥによって前記フェムトセルのためのアイドルハンドオフ（ＨＯ：handoff）を実行することと、
十分な信号強度を有するセル特有信号が発見されなかった場合、前記ＵＥを前記マクロセル周波数ＦＭに同調させることと、
をさらに備える、請求項２に記載の方法。
【請求項４】
前記ＵＥによってフェムトセルページングチャネルを復調することと、
フェムトセルシステムパラメータメッセージ（ＳＰＭ：system parameters message）を入手することと、
前記ＵＥを前記フェムトセルに登録することと、
をさらに備える、請求項３に記載の方法。
【請求項５】
復調することは、
前記ＵＥによって、パラメータすなわち、システムＩＤと、ネットワークＩＤと、基地ＩＤと、を確認することと、
前記フェムトセルのシステムＩＤと、前記フェムトセルの前記ネットワークＩＤと、および前記フェムトセルＳＰＭ中でブロードキャストされた基地ＩＤと一致させることと、
一致が確認できなかった場合、前記ＵＥが前記フェムトセルにアクセスすることを許される場合を判断するために前記フェムトセルへの登録を試みることと、
をさらに備える、請求項４に記載の方法。
【請求項６】
ユーザ機器（ＵＥ）であって、
少なくとも１つのプロセッサと、
前記少なくとも１つのプロセッサに結合されたメモリと、
前記ＵＥによって、１つまたは複数のフェムトセルを取得するように構成されるトランシーバと、
前記ＵＥによって取得された前記１つまたは複数のフェムトセルの位置を特定するための情報を記憶するように構成されるデータベースであって、前記情報は、前記ＵＥに対して個別設定され、しきい値よりも高い信号強度を有するパイロットと位相オフセットとを備えるマクロシステムパラメータを備える、データベースと
を備え、
ここにおいて、前記データベースに記憶された前記情報は、各フェムトセルに関して、搬送周波数と、位置と、所与のしきい値よりも高い信号強度を有するパイロットオフセットのリストと、前記フェムトセルのシステム識別（ＩＤ）と、前記フェムトセルのネットワークＩＤと、前記フェムトセルのためのブロードキャストされた基地ＩＤと、をさらに含み、
ここにおいて、前記ＵＥは、前記ＵＥが前記１つまたは複数のフェムトセルのうちの少なくとも１つのフェムトセルの略近傍にある場合を判断するために、前記データベースを検索し、
前記ＵＥが少なくとも１つのフェムトセルの略近傍にある場合、前記ＵＥは、フェムトセルに対応する、前記データベースに記憶された前記情報を使用して前記フェムトセルにアクセスする、
ＵＥ。
【請求項７】
前記データベース中に一致がある場合のみ、フェムト検索が行われる、請求項６に記載のＵＥ。
【請求項８】
システムＩＤが前記フェムトセルの周りの前記マクロシステムの前記システムＩＤに一致し、ネットワークＩＤが前記フェムトセルの周りの前記マクロシステムの前記ネットワークＩＤに一致し、基地ＩＤがマクロセルの前記基地ＩＤに一致し、基地緯度が前記マクロセルの前記緯度に一致し、且つ、基地経度が前記マクロセルの前記経度に一致する場合に、前記データベースにおいて一致がある、請求項７に記載のＵＥ。
【請求項９】
前記データベースにおいて一致がある場合、前記ＵＥがフェムトセル周波数ＦＦに同調する、請求項８に記載のＵＥ。
【請求項１０】
前記データベースにおいて一致がない場合、前記ＵＥがマクロセル周波数ＦＭに同調する、請求項８に記載のＵＥ。
【請求項１１】
コンピュータに、
ユーザ機器（ＵＥ）によって、１つまたは複数のフェムトセルを取得させ、
前記ＵＥによって取得された前記１つまたは複数のフェムトセルの位置を特定するための情報をデータベースに記憶させ、前記情報は、前記ＵＥに対して個別設定され、しきい値よりも高い信号強度を有するパイロットと位相オフセットとを備えるマクロシステムパラメータを備え、ここにおいて、前記データベースに記憶された前記情報は、各フェムトセルに関して、搬送周波数と、位置と、所与のしきい値よりも高い信号強度を有するパイロットオフセットのリストと、前記フェムトセルのシステム識別（ＩＤ）と、前記フェムトセルのネットワークＩＤと、前記フェムトセルのためのブロードキャストされた基地ＩＤと、をさらに含み、
前記ＵＥが前記１つまたは複数のフェムトセルのうちの少なくとも１つのフェムトセルの略近傍にある場合を判断するために前記データベース内を検索させ、
前記ＵＥが少なくとも１つのフェムトセルの略近傍にある場合、フェムトセルに対応する、前記データベースに記憶された前記情報を使用して前記フェムトセルにアクセスさせる、
ためのコードを備える、
コンピュータ可読記録媒体。
【請求項１２】
コンピュータに、
一致を求めて前記データベースを検索させ、ここにおいて、システムＩＤデータベースエントリが前記フェムトセルの周りの前記マクロシステムの前記システムＩＤに一致し、ネットワークＩＤデータベースエントリが前記フェムトセルの周りの前記マクロシステムの前記ネットワークＩＤに一致し、基地ＩＤデータベースエントリがマクロセルの前記基地ＩＤに一致し、基地緯度が前記マクロセルの前記緯度に一致し、基地経度が前記マクロセルの前記経度に一致する場合に、一致がある、
一致がある場合、前記ＵＥをフェムトセル周波数ＦＦに同調させ、
信号のサンプルセグメントを取り出させ、
セル特有信号の検索を行わせ、
一致がない場合、前記ＵＥをマクロセル周波数ＦＭに同調させる、
ためのコードをさらに備える、請求項１１に記載のコンピュータ可読記録媒体。
【請求項１３】
コンピュータに、
十分な信号強度を有するセル特有信号を求めて前記データベースを検索させ、
十分な信号強度を有する前記セル特有信号が発見された場合、前記ＵＥによって前記フェムトセルのためのアイドルハンドオフ（ＨＯ）を実行させ、
十分な信号強度を有するセル特有信号が発見されなかった場合、前記ＵＥを前記マクロセル周波数ＦＭに同調させる、
ためのコードをさらに備える、請求項１１に記載のコンピュータ可読記録媒体。
【請求項１４】
コンピュータに、
前記ＵＥによってフェムトセルページングチャネルを復調させ、
フェムトセルシステムパラメータメッセージ（ＳＰＭ）を入手させ、
前記ＵＥを前記フェムトセルに登録させる、
ためのコードをさらに備える、請求項１１に記載のコンピュータ可読記録媒体。
【請求項１５】
コンピュータに、
前記ＵＥによって、パラメータすなわち、システムＩＤと、ネットワークＩＤと、基地ＩＤと、を確認させ、
前記フェムトセルのシステムＩＤと、前記フェムトセルの前記ネットワークＩＤと、および前記フェムトセルＳＰＭ中でブロードキャストされた基地ＩＤと一致させ、
一致が確認できなかった場合、前記ＵＥが前記フェムトセルにアクセスすることを許される場合を判断するために前記フェムトセルへの登録を試みさせる、
ためのコードをさらに備える、請求項１４に記載のコンピュータ可読記録媒体。
【請求項１６】
フェムトセルの位置を特定する装置であって、
ユーザ機器（ＵＥ）によって、１つまたは複数のフェムトセルを取得するための手段と、
前記ＵＥによって取得された前記１つまたは複数のフェムトセルの位置を特定するための情報をデータベースに記憶するための手段であって、前記情報は、前記ＵＥに対して個別設定され、しきい値よりも高い信号強度を有するパイロットと位相オフセットとを備えるマクロシステムパラメータを備え、ここにおいて、前記データベースに記憶された前記情報は、各フェムトセルに関して、搬送周波数と、位置と、所与のしきい値よりも高い信号強度を有するパイロットオフセットのリストと、前記フェムトセルのシステム識別（ＩＤ）と、前記フェムトセルのネットワークＩＤと、前記フェムトセルのためのブロードキャストされた基地ＩＤと、をさらに含む、手段と、
前記ＵＥが前記１つまたは複数のフェムトセルのうちの少なくとも１つのフェムトセルの略近傍にある場合を判断するために前記データベース内を検索するための手段と、
前記ＵＥが少なくとも１つのフェムトセルの略近傍にある場合、フェムトセルに対応する、前記データベースに記憶された前記情報を使用して前記フェムトセルにアクセスするための手段であって、ここにおいて、前記アクセスするための手段は、ハードウェアを備える、手段と
を備える、装置。
【請求項１７】
一致を求めて前記データベースを検索するための手段であって、ここにおいて、システムＩＤデータベースエントリが前記フェムトセルの周りの前記マクロシステムの前記システムＩＤに一致し、ネットワークＩＤデータベースエントリが前記フェムトセルの周りの前記マクロシステムの前記ネットワークＩＤに一致し、基地ＩＤデータベースエントリがマクロセルの前記基地ＩＤに一致し、基地緯度が前記マクロセルの前記緯度に一致し、且つ、基地経度が前記マクロセルの前記経度に一致する、手段と、
一致がある場合、前記ＵＥをフェムトセル周波数ＦＦに同調させるための手段と、
ＣＤＭＡ信号のサンプルセグメントを取り出すための手段と、
セル特有信号の検索を行うための手段と、
一致がない場合、前記ＵＥをマクロセル周波数ＦＭに同調させるための手段と、
をさらに備える、請求項１６に記載の装置。
【請求項１８】
十分な信号強度を有する前記セル特有信号を求めて前記データベースを検索するための手段と、
十分な信号強度を有する前記セル特有信号が発見された場合、前記ＵＥによって前記フェムトセルのためのアイドルハンドオフ（ＨＯ）を実行するための手段と、
十分な信号強度を有するセル特有信号が発見されなかった場合、前記ＵＥを前記マクロセル周波数ＦＭに同調させるための手段と、
をさらに備える、請求項１７に記載の装置。
【請求項１９】
前記ＵＥによってフェムトセルページングチャネルを復調するための手段と、
フェムトセルシステムパラメータメッセージ（ＳＰＭ）を入手するための手段と、
前記ＵＥを前記フェムトセルに登録するための手段と、
をさらに備える、請求項１８に記載の装置。
【請求項２０】
復調するための手段は、
前記ＵＥによって、パラメータすなわち、システムＩＤと、ネットワークＩＤと、基地ＩＤと、を確認するための手段と、
前記フェムトセルのシステムＩＤと、前記フェムトセルの前記ネットワークＩＤと、および前記フェムトセルＳＰＭ中でブロードキャストされた基地ＩＤと一致させるための手段と、
一致が確認できなかった場合、前記ＵＥが前記フェムトセルにアクセスすることを許される場合を判断するために前記フェムトセルへの登録を試みるための手段と、
をさらに備える、請求項１９に記載の装置。